(57)【要約】  弦楽器用演奏補助具は、使用時、楽器のネック上に位置するように配置されたアライメント手段を含む。アライメント手段は、使用時、楽器のネックの長手方向の軸線に実質的に平行して延在するように配置された直線アライメント要素を含む。補助具は、演奏者の手の一部を受けるように配置されたカラーを有するを含むグライダーを更に含む。補助具は、グライダーをアライメント手段の直線アライメント要素に摺動可能に結合するように配置された結合手段を更に含む。【特許請求の範囲】
【請求項１】
使用時、楽器のネック上に位置するように配置されたアライメント手段であって、前記アライメント手段が、使用時、前記楽器の前記ネックの長手方向の軸線に実質的に平行して延在するように配置された直線アライメント要素を含む、アライメント手段と、
演奏者の手の一部を受けるように配置されたカラーを有するグライダーと、
前記グライダーが前記ネックに対して摺動することができるように前記グライダーを前記アライメント手段の前記直線アライメント要素に結合するように配置された結合手段と、
を含む、弦楽器用演奏補助具。
【請求項２】
前記アライメント手段が少なくとも第１の取付手段を含み、前記直線アライメント要素が前記取付手段上に形成されている又は取り付けられている、請求項１に記載の演奏補助具。
【請求項３】
前記アライメント手段が第１の取付手段及び第２の取付手段を含み、前記直線アライメント要素が前記第１の取付手段と前記第２の取付手段との間に延在する、請求項１又は２に記載の演奏補助具。
【請求項４】
前記取付手段が前記ネックに半永久的に取り付けられるように適合されている、請求項２又は３に記載の演奏補助具。
【請求項５】
前記取付手段が前記ネック内に挿入されたねじ又はスタッドによって、又は接着剤の使用によって前記ネックに取り付けられている、請求項４に記載の演奏補助具。
【請求項６】
前記取付手段が前記ネック及び／又は前記直線アライメント要素から着脱可能となるように適合されている、請求項２又は３に記載の演奏補助具。
【請求項７】
前記取付手段がクリップ、クランプ又はフック及びループ部から選択される、請求項６に記載の演奏補助具。
【請求項８】
前記直線アライメント要素が第１の取付手段と第２の取付手段との間に延在するレールを含み、前記グライダーが前記レールに結合する、請求項１〜７のいずれか一項に記載の演奏補助具。
【請求項９】
前記取付手段が前記直線アライメント要素を含み、前記グライダーが前記取付手段に直に結合する、請求項２〜８のいずれか一項に記載の演奏補助具。
【請求項１０】
前記直線アライメント要素が、返しを有する形状を有する、前記ネック内に形成された凹部を含み、前記結合手段が、前記凹部内に嵌合し、且つ前記返しによって摺動可能に保持される好意的形状を有する、請求項１に記載の演奏補助具。
【請求項１１】
前記アライメント手段が、前記結合手段を摺動可能に保持するために返しのある形状を有する前記直線アライメント要素を収容するため、前記ネック内に形成され、且つ前記ネックの前記長手方向の軸線に実質的に平行して延在するように配置された凹部を含む、請求項１に記載の演奏補助具。
【請求項１２】
前記グライダーが前記ネックから取り外すために前記結合手段が前記直線アライメント要素から取り外されるように、前記カラーが前記結合手段に永久的に結合されている、請求項１に記載の演奏補助具。
【請求項１３】
前記結合手段が前記楽器に取り付けられたままで前記カラーが前記演奏者の手の前記一部に残ることを可能にするため、前記カラーが前記結合手段から着脱可能である、請求項１に記載の演奏補助具。
【請求項１４】
前記カラーが前記結合手段からＶｅｌｃｒｏ（登録商標）パッドによって着脱可能である、請求項１２に記載の演奏補助具。
【請求項１５】
請求項１〜１３のいずれか一項に記載の演奏補助具を用意するステップを含む、弦楽器の補助付演奏の方法。
【請求項１６】
演奏補助具との使用のために適合させた弦楽器であって、前記楽器のネックの長手方向の軸線に実質的に平行して延在する直線アライメント要素を含むアライメント手段を含む、弦楽器。
【請求項１７】
前記アライメント手段が前記ネック内に形成された凹部を含み、前記直線アライメント要素が、前記凹部内に嵌合する好意的形状を有する結合手段を摺動可能に保持するための返しのある形状を有する、請求項１６に記載の弦楽器。
【請求項１８】
前記直線アライメント要素が、前記楽器の前記ネックの前記長手方向の軸線に実質的に平行して延在し、且つ結合手段に摺動可能に結合するように適合させたレールを含む、請求項１６に記載の弦楽器。
【請求項１９】
演奏補助具との使用に適するように弦楽器を製造する方法であって、
前記楽器が、
前記演奏者の手の一部を受けるように配置されたカラーを有するグライダーと、
前記グライダーをアライメント手段の直線アライメント要素に摺動可能に結合するように配置された結合手段と、
を備えて演奏されうるように、
前記楽器の前記ネックの長手方向の軸線に実質的に平行して延在する前記直線アライメント要素を含む前記アライメント手段を前記弦楽器の前記ネックの裏側に形成する又は取り付けるステップを含む、
方法。
【請求項２０】
前記直線アライメント要素が、返しを有する形状を有する凹部と、取付点であって、前記グライダーを前記取付点において前記凹部内に挿入し、その後、前記グライダーが前記返しによって保持される前記凹部に沿って摺動させることが可能になるよう前記凹部の側面間のスペースが前記グライダーの張り出し部に接触しないようなサイズにされるように、前記返しが少なくとも部分的に除かれる取付点と、を有する、請求項１９に記載の弦楽器を製造する方法。
【請求項２１】
前記アライメント手段が取付手段によって前記ネックに取り付けられている、請求項１５に記載の弦楽器を製造する方法。
【請求項２２】
弦楽器に組み付けるための部品キットを含む演奏補助具キットであって、
前記部品キットが、
使用時、前記楽器のネック上に位置するように配置されたアライメント手段であって、前記アライメント手段が、使用時、前記楽器の前記ネックの長手方向の軸線に実質的に平行して延在するように配置された直線アライメント要素を含む、アライメント手段と、
演奏者の手の一部を受けるように配置されたカラーを有する含むグライダーと、
前記グライダーを前記アライメント手段の前記直線アライメント要素に摺動可能に結合するように配置された結合手段と、
を含む、演奏補助具キット。
【発明の詳細な説明】
【技術分野】
【０００１】
本発明は、ギター、バンジョー又はバイオリンなどの弦楽器用演奏補助具又は付属品に関し、特に、演奏者が楽器のネック上での正確なハンドポジショニングを学習するのを補助するためのハンドポジショニング装置に関する。
【背景技術】
【０００２】
楽器の上手な演奏を学ぶためには楽器のネック上での正確なハンドポジショニングが必須である。これは従来、練習及び教育により学ばれるものであるが、正確さに欠けるポジショニングの癖は矯正が難しく、最終的には、演奏者の、より高い技能へと上達する能力を制限する可能性がある。正確なポジショニングを学ぶための、及び演奏者のマッスルメモリーを補助するための補助具は演奏者にとっても商業的にも価値のあるものとなろう。
【０００３】
先行技術には、１つ又は複数の弦を押さえてチューニングを変更するため楽器のネックに取り付けて使用するカポタストの多くの変形形態を含む。いくつかの変形形態では、カポタストは、各弦の押さえを調整し、コードをより演奏しやすくするためのキー又はボタンを含む。いくつかの設計では、カポタストは、例えば、ネック上の可動付属物又は取付台により、ネックに沿って動くことができるように適合されている。チューニングの変更を行うためローラを弦に接触させることができる。いずれの場合においても、当該装置は、弦を押さえるにあたり機械的補助なしで演奏者の手を案内するように設計されているというよりもむしろ、チューニングの変更又は弦の押さえを行うように設計されており、唯一の目的はチューニングの変更又は弦の押さえを行うことである。弦を押さえ、グリッサンド又はポルタメント効果を生じさせるために演奏者の指又は手にて動作するギタースライドは周知である。これらもまた自然に押さえた状態で演奏を補助することよりもむしろ音の性質を調整することを目的としている。
【０００４】
したがって、可動カポタスト（「カポ」とも呼ばれる）への必要性に関する課題を解決するため、以下を含む、この分野における多くの特許が出願されている。
【０００５】
米国特許第６２７１４４８号明細書は、楽器のネック内の軌道に乗る、リュート族の楽器用のスライドカポについて開示している。当該カポは、軌道内に乗る長尺状のフランジを保持する剛性の横材を含む。横材により支持されたベアリング内において円筒状エラストマーローラが回転するとともに、指板上方におけるローラの高さを調節するための調節手段が提供される。カーブが付けられた指板の場合、ローラが回転するシャフトには可撓性があり且つ弾力があることからシャフトは曲がることができ、円筒状ローラで全ての弦を指板に押し付けることができる。
【０００６】
米国特許第４６２１５５８号明細書は、ギターのネックに沿って移動可能な２つのローラを含むローラカポデバイスについて開示している。種々のキーの演奏を容易にするため上部ローラがいくつかのフレットのいずれかにて弦を押し付ける。ローラはネックの断面曲率に適合するため、真の横断位置を維持し、デバイスの、ネックを上下する滑らかな移動を容易にする。
【発明の概要】
【発明が解決しようとする課題】
【０００７】
これに対し、本発明は、カポタストポ（ｃａｐｏｔａｓｔｐｏ）と異なり、ネック上における演奏者のハンドポジショニングを補助するために使用可能な、弦上に支持されない演奏補助具を提供する。
【課題を解決するための手段】
【０００８】
本発明の第１の態様によれば、
使用時、楽器のネック上に位置するように配置されたアライメント手段であって、アライメント手段が、使用時、楽器のネックの長手方向の軸線に実質的に平行して延在するように配置された直線アライメント要素を含む、アライメント手段と、
演奏者の手の一部を受けるように配置されたカラーを有するグライダーと、
グライダーがネックに対して摺動することができるようにグライダーをアライメント手段の直線アライメント要素に結合するように配置された結合手段と、
を含む、弦楽器用演奏補助具が提供される。
【０００９】
このように、演奏者は自身の手の一部、例えば、自身の親指をカラー内に配置してもよく、演奏補助具は手を正確に位置決めして楽器の演奏を補助する。その後、正しい演奏位置を維持しつつ、直線アライメント要素上を走行するグライダーによって案内された状態で、楽器のネック上において手を上下に移動させてもよい。好適な実施形態では、カラーは演奏者の親指を受けるように適合されているが、いくつかの実施形態では、カラーは演奏者の手の一部を受けるように適合されてもよく、且つ手に装着する部分グローブの形態であってもよい。本明細書中においては、カラーはサムカラーと呼ばれるが、これは本発明の範囲をいかようにも限定することを意図するものではない。
【００１０】
好適な実施形態では、アライメント手段はネック上に取り付けられており、少なくとも第１の取付手段と、取付手段に形成されるか取り付けられた直線アライメント要素と、を含む。
【００１１】
更に好適な実施形態においては、アライメント手段は、第１及び第２の取付手段と、それらの間に延在する直線アライメント要素と、を含む。好ましくは、取付手段はネックの上部の、楽器の本体に近い方の第１の位置と、ネックの下部の、楽器の本体から遠い方の第２の位置とに配置されるように適合されている。いくつかの実施形態では、ネックのテーパ形状に適応するため第１の取付手段は第２の取付手段よりも大きな寸法を有する。好ましくは、取付手段は、安定した嵌合を可能にするためネックに接触するように配置された、表面上の凹形状を含む。取付手段は、ネックの形状に合うような可撓性を付与するために弾性材料を含んでもよい。
【００１２】
いくつかの実施形態では、取付手段は、例えば、ネック内に挿入されたねじもしくはスタッド又は接着剤によってネックに半永久的に取り付けられるように適合されている。好適な実施形態では、取付手段はネックから着脱可能となるように適合されている。代替的実施形態においては、取付手段は直線アライメント要素から着脱可能となるように適合されている。
【００１３】
直線アライメント要素をネックに取り付けることができる着脱式手段は、いくつかの実施形態ではネックの裏面及びフレット付き指板の一部の周囲に延在し、使用中、弦へのアクセスを妨げることなく取付手段を所定の位置にクリップで留めるよう機能するクリップによるものである。いくつかの実施形態では、取付手段は、例えばねじクランプ機能を有するクランプを用いて所定の位置に保持してもよい。更なる実施形態では、取付手段は、Ｖｅｌｃｒｏ（登録商標）などの着脱可能な取り付け材料を含んでもよい。
【００１４】
いくつかの実施形態では、取付手段は、直線アライメント要素と、取付手段に直に摺動可能に結合するグライダーと、を含む。一実施形態においては、取付手段は、ネックに取り付けられるように適合され、且つ伸長本体（ｅｘｔｅｎｄｅｄ  ｂｏｄｙ）内に形成された、返しを備えた形状を有する凹部を有する伸長本体を含む。結合手段は返しによって保持される形状の突出物を含む。
【００１５】
返しは、カップリング上の突出物周囲に嵌合し、カップリングを凹部内に摺動可能に保持する凹部形状の一部である。
【００１６】
このようにして、グライダーは取付手段に結合される一方で凹部の長手方向に摺動してもよい。
【００１７】
一実施形態においては、取付手段は、ネックに嵌合するように適合された凹状湾曲形状を含む。取付手段は、上述の取付手段によってネックに取り付けてもよい。凹部は返しを有する種々の断面形状を有してもよく、例えば、円形、矩形又は他の形状の周縁のほとんどが取付手段を形成する。
【００１８】
好適な実施形態では、直線アライメント要素は単一の取付手段から延在する又は２つの取付手段間に延在するレールを含み、グライダーがレールに摺動可能に結合する。一実施形態においては、レールは、使用時、ネックに平行する平坦部を備えた平坦矩形断面を有し、グライダーは、レールの周囲に嵌合するように適合された２つの返しを有する凹部を有する。グライダーはレールに摺動可能に結合されており、レールは返しによって凹部内に保持される。
【００１９】
一実施形態においては、レールはＴ字形断面を有する形状を有し、グライダーは、レールの周囲に嵌合するように適合され、グライダーがレール上に保持されるように凹部内に返し形状（ｒｅｔｕｒｎ  ｐｒｏｆｉｌｅ）を有する凹部を含む。別の実施形態では、レールは２つの返しを有する凹部を含んでもよく、グライダーは、凹部内に嵌合し、且つ返し及びスタッドの頭部によって保持されるスタッド形状を含んでもよい。更なる実施形態においては、レールは実質的に円形断面のロッドであり、グライダーは実質的に円形のクリアランス穴をその内部に有し、ロッド上に取り付けられている。本発明のデバイスにおいてはグライダー及びレールの種々の配置構成を使用可能である。この例は、当業者には例えばカーテンレール技術で明らかであろう。
【００２０】
いくつかの実施形態では、デバイスは、使用中、グライダーがレールに結合されたままになるように適合されている。好適な実施形態では、デバイスはグライダーがレールに着脱可能に結合し、演奏中の偶発的な分離を防止する状態でレールの所定の位置に保持されるように適合されている。いくつかの実施形態は、グライダー凹部の返しをレールから取り外すことができるようにレールが適合されたグライダー取り外し点を含んでもよい。例えば、レールは、遮断領域（ｃｕｔ−ｏｕｔ  ｒｅｇｉｏｎ）を含んでもよい。
【００２１】
更なる実施形態では、アライメント手段がネック上に形成され、直線アライメント要素がネック自体の裏面に形成される。好適な実施形態においては、直線アライメント要素は、ネック内に形成された、返しのある形状を有する凹部を含み、グライダーは、当該返し内に嵌合し且つ返しによって保持される形状を有する結合手段を有する。一実施形態においては、アライメント手段は、ネック内に形成され、且つ結合手段を摺動可能に保持するために返しのある形状を有する直線アライメント要素を収容するため、ネックの長手方向の軸線に実質的に平行して延在するように配置された凹部を含む。この実施形態では、直線アライメント要素は、カップリングが凹部内に摺動可能に保持されうるように摺動可能に保持するための返しを有する凹部を備えて形成された押出品又は折り返されたシートである。
【００２２】
好ましくは、凹部は、カップリング手段を凹部内に挿入してもよいグライダー取付点を含む。好適な実施形態においては、凹部はネック内の逆Ｔ字形状を有し、結合手段は、当該Ｔ字形状内に嵌合し、且つ当該Ｔ字形状内に保持されるスタッドを含む。取付点は、凹部に交差する側面が直線のめくら孔などの、Ｔ字形状の返しのない領域を含む。このようにして、使用時、スタッドは凹部を上下に摺動してグライダーをネックに結合し、グライダーは取付点にある際に着脱可能である。このような実施形態においては、凹部はインサート材料、例えば、凹部内への押し込み嵌め部（ｐｕｓｈ−ｆｉｔ）となるような形状の一片のプラスチックによって被覆してもよい。
【００２３】
いくつかの実施形態では、グライダーをネックから取り外すために結合手段が直線アライメント要素から取り外されるように、カラーが結合手段に永久的に結合されている。
【００２４】
いくつかの実施形態では、グライダーは、カラーが結合手段から着脱可能であり、結合手段が楽器に取り付けられたままでカラーが親指などの演奏者の手の一部に残ることを可能にするように、カラー取付手段を含む。このようなカラー取付手段には、プレススタッド及びソケットを含んでもよい。スタッドはカラーに固定され且つ結合手段内のソケットから着脱可能であってもよく、あるいは、スタッドはカップリングに固定され且つカラー内のソケットから着脱可能であってもよい。取付手段は、カラーに取り付けられたＶｅｌｃｒｏ（登録商標）と、結合手段に取り付けられたＶｅｌｃｒｏ（登録商標）パッドと、を含んでもよい。いくつかの実施形態では、カラー取付手段は磁気取付手段を含む。
【００２５】
第２の態様によれば、本発明は、実質的に本明細書中に記載されるような演奏補助具を提供するステップを含む、弦楽器を補助付演奏する方法を提供する。使用者は指が弦に届きうるように親指又は手をカラー内に配置してもよい。
【００２６】
第３の態様によれば、本発明は、演奏補助具との使用のために適応させた弦楽器を提供する。当該弦楽器は、楽器のネックの長手方向の軸線に実質的に平行して延在する直線アライメント要素を含むアライメント手段を含む。好ましくは、アライメント手段はネック内に形成された凹部を含み、直線アライメント要素は、凹部内に嵌合する好意的形状を有する結合手段を摺動可能に保持するための返しを有する形状を有する。別法として、直線アライメント要素は、結合手段に摺動可能に結合するように適合させた、楽器のネックの長手方向の軸線に実質的に平行して延在するレールを含む。
【００２７】
第４の態様によれば、本発明は楽器を、演奏者の手の一部を受けるように配置されたカラーを有するグライダーによって演奏することができるように楽器のネックの長手方向の軸線に実質的に平行して延在する直線アライメント要素と、グライダーをアライメント手段の直線アライメント要素に摺動可能に結合するように配置された結合手段と、を含むアライメント手段を弦楽器のネックの裏側に形成する又は取り付けるステップを含む、演奏補助具との使用に適するように弦楽器を製造することを提供する。
【００２８】
第５の態様によれば、本発明は、弦楽器に組み付けるための部品キットを提供する。当該部品キットは、使用時、楽器のネック上に位置するように配置されたアライメント手段であって、アライメント手段が、使用時、楽器のネックの長手方向の軸線に実質的に平行して延在するように配置された直線アライメント要素を含む、アライメント手段と、演奏者の手の一部を受けるように配置されたカラーを有するを含むグライダーと、グライダーをアライメント手段の直線アライメント要素に摺動可能に結合するように配置された結合手段と、を含む。
【００２９】
本発明を単に例として記載したが、本発明の範囲から逸脱することなく上述の実施形態に変更を施してもよいことは理解されよう。
【００３０】
したがって、上述の記載及び図面に関しては、サイズ、材料、形状及び形態の変化を含む本発明の部品の最適な寸法関係は即座に明らかとなり、且つ本発明により包含されることを理解すべきである。
【００３１】
したがって、前述は単に本発明の原理を例証するものであるとみなされる。更に、当業者には多くの改良形態及び変更形態が容易に想起されるため、示し且つ記載した厳密な構造及び動作に本発明を限定することを望むものではなく、したがって、あらゆる好適な改良形態及び均等物を本発明の範囲内で用いてもよい。
【図面の簡単な説明】
【００３２】
【図１】グライダーを楽器から取り外した本発明の実施形態の等角図を示す。
【図２】グライダーを楽器に結合させた図１の実施形態の等角図を示す。
【図３】図２の実施形態の分解図を示す。
【図４】本発明の更なる実施形態の概略図を示す。
【図５】本発明の更なる実施形態の概略図を示す。
【図６】本発明の更なる実施形態の概略図を示す。
【図７】本発明の更なる実施形態の断面図を示す。
【図８】カラーを直線アライメント要素に結合するためのボールを示す。
【図９】親指上の、カップリングボールを備えたカラーを示す。
【図１０】親指上の、カップリングソケットを備えたカラーを示す。
【図１１】楽器のネック上の、摺動のためカップリングボールが取り付けられたレールである直線アライメント要素を示す。
【図１２】摺動のためカップリングボールが取り付けられたレールに、保持要素によって固定された楽器のネックの断面図を示す。
【図１３】レール及び摺動カップリングボールに取り付けられた、平坦な裏側を有する楽器のネックの断面図を示す。
【図１４】ネックの裏側の保持要素が摺動する直線アライメント要素レールを収容する、ルートを定められた凹部を備えたネックの断面図を示す。
【図１５】カップリングボールを含む保持要素が摺動する直線アライメント要素の概略図を示す。
【図１６】カップリングボールに結合されたカップリングソケットを含む保持要素が摺動する直線アライメント要素の断面図を示す。
【図１７】カップリングソケットを含む保持要素の頂面図を示す。
【図１８】アライメント手段がカップリングソケットを含む保持要素を収容する凹部から形成されている楽器のネックの断面図を示す。
【図１９】凹部を有する折り返し（ｆｏｌｄｅｄ）又は押出レールの形態の直線アライメント要素の断面図を示す。
【図２０】直線アライメント要素の頂面図を示す。
【図２１】カップリングソケットを含む保持要素の中央を切った断面図を示す。
【図２２】カップリングソケットを備えた保持要素の頂面図を示す。
【図２３】保持要素２１のスタッド８にＶｅｌｃｒｏ（登録商標）パッド２７により取り付け可能且つ取り外し可能なカラー５の側面図を示す。
【図２４】直線アライメント要素レール１２に摺動可能に取り付けられた保持要素２１上のパッドの頂面図を示す。
【図２５】楽器のネックに平行して延在する凹部をカバーするためのカバー切片を示す。
【発明を実施するための形態】
【００３３】
図１を参照すると、アライメント手段は、楽器のネック１０の長手方向の軸線に平行して延在する凹部１の形態の直線アライメント要素を含む。凹部１は楽器の材料内に、例えば、ルートを定めることによって形成される。
【００３４】
図１には、直線アライメント要素に取り付けられていないグライダー２０を示す。グライダー２０はアライメント手段に結合する。グライダーは、また、演奏者の手の一部を受ける。グライダー２０は円形の張り出し部３によって終端する円形スタッド８である結合手段２に連結されたカラー５を含む。
【００３５】
凹部１は、ここでは逆Ｔ字形状４として示される凹部上に、返し２２によって保持される張り出し部３を有する円形スタッド２の形態の摺動式カップリング要素を保持するように適合されている。図１では、グライダー２０は結合されておらず、凹部１は断面で示される。
【００３６】
本明細書中において、摺動式カップリング要素は凹部の外形により保持されるため保持要素とも呼ばれる。
【００３７】
図２が示すように、張り出し部３はグライダー２０を保持するように機能する。グライダー２０は、長手方向の凹部に平行し、且つ楽器のネックの長手方向の軸線にも平行して摺動することができる。張り出し部３が返し２２によって凹部１内に保持されることから、張り出し部３を凹部１から引き抜くことはできない。張り出し部３によって、グライダー２０が楽器のネック１０から外れることを防止する。
【００３８】
図３では、張り出し部３は凹部の外形によりネック１０の凹部１内に保持される別個の保持要素２１の一部であると明らかである。
【００３９】
凹部１内に取付点が設けられる。取付点では凹部１から返し２２が除かれるため、凹部は側面が直線の部分（不図示）を有する。取付点における直線側面間のスペースはスタッド２の張り出し部３に接触しないようなサイズにされている。これにより、スタッド２の張り出し部３を取付点において凹部１内に垂直に挿入し、その後、張り出し部３が返し２２によって保持される凹部に沿って摺動させることが可能になる。
【００４０】
グライダー２０は、サムグリップ用に適応させた管であるカラー５を含む。カラー５は円形スタッド２に取り付けられる。サムグリップは円形スタッド２を貫通させるための孔を備えた短い［４０ｍｍ］ゴム管である。様々な親指のサイズに合うよう種々のサイズの管が供給されうる。
【００４１】
あるいは、カラー５は、演奏者の親指又は演奏者の手の他の部分の輪郭に合うように成形されたプラスチック又はカットされた木材である。
【００４２】
カラー５は使用者の親指を収容するような形状であり、且つ快適なフィット性にするためテーパ状とされ、且つ親指を凹部１のそばに快適な距離で配置するための構造を有する。図７、９及び１０は、親指において使用されているカラーを示す。
【００４３】
グライダーが弦楽器の裏側に結合された状態において、カラーとネックとの間が最も短いカラーは約５ｍｍ〜１５ｍｍである。好ましくは、最短距離は１０ｍｍ以下である。より好ましくは、最短距離は５ｍｍ以下である。凹部１、したがって、直線アライメント要素１２をネック１０の裏側に形成する利点は、グライダー２０のカラー５がネック１０の裏側に接近することである。
【００４４】
カラーがネックに接近することの利点は、演奏補助具を備えた楽器を自身の親指を用いて把持する者の指がネック周りに容易に届きうることである。この利点は弦楽器の演奏を学んでいる子供にとって特に重要である。別の利点は、カラーを接近させると、引きの中心点（ｃｅｎｔｒｅ  ｐｏｉｎｔ  ｏｆ  ｐｕｌｌ）［ボール及びソケット］がより適切に揃うこととなり、抵抗の中心点である凹部の側面が滑らかな動きを実現することである。
【００４５】
図２では、グライダー２０は楽器のネック１０に摺動可能に結合された状態で示される。対応するスタッド３がＴ字形状４を備えた凹部１に沿って摺動するように凹部１内に差し込まれるため。
【００４６】
図２及び図３を参照すると、演奏補助具は、上部から底部までにおいて、サムカラー５と、固定ねじ６と、親指の高さ位置を一部設定し、且つネック１０の木材に対する既知の摩擦を示すスペーサディスク７を含む結合手段上部構成要素と、結合手段を凹部内に保持するための結合手段スタッド８と、を含む、グライダーを含む。サムカラー５はねじ固定点９を含む。
【００４７】
図１〜３の実施形態では、サムカラー５は、例えば、布帛、ストレッチ布帛又はプラスチック、エラストマー又はゴム構成要素を有する、親指を収容するための可撓性上部又はパッド入りの剛性上部から形成してもよい。
【００４８】
サムカラー５の基部は、ねじ６の頭を保持し、且つ親指用の頑丈なクッションを提供するための剛性又は半剛性材料を含むねじ固定点９を含む。結合手段スペーサディスク７及びスタッド８は、例えば、金属又はエンジニアリングプラスチックから、例えば成形によって形成してもよく、ねじは好ましくは金属である。サムカラーは種々の使用者に合うよう様々なサイズで提供してもよく、親指の高さを設定するためにスペーサを提供してもよい。別の実施形態においては、サムカラー５の代わりに、例えば、手のひらの一部に取り付ける又はグローブに似たハンドカラーを用いてもよい。
【００４９】
図７及び図９は、カラー５、したがって、グライダー２０を直線アライメント要素の凹部１に結合するためのボール３を示す。ボールは凹部に沿って摺動する保持要素である。
【００５０】
グライダーが楽器のネックに対して前方及び後方並びに側方から側方に回転することができるようにボール３は球形、卵形又はそうでなければ球根状である。この回転自由度により、自身の親指をカラー内に入れた者が弦楽器を快適に演奏することを可能にする。
【００５１】
図４を参照すると、当該演奏補助具は前述の実施形態に比べてあまり邪魔にならない状態で楽器のネック１０の裏面に取り付けられるように適合されている。アライメント手段は、ネック１０に固定された上昇柱状要素１１の形態の第１の取付手段及び第２の取付手段と、第１の取付手段と第２の取付手段との間に延在するバー又はレール１２の形態の直線アライメント要素と、を含む。図４においてレール１２は平坦断面片（ｆｌａｔ  ｓｅｃｔｉｏｎ  ｓｔｒｉｐ）として示されるが、円形断面棒などの他の形態をとってもよい。グライダーがレールに沿って走行できるようにレール１２はネック１０から離した状態にされている。グライダー２０は、その基部内に、レール１２上に嵌まり、中にレール１２を保持するように適合された凹部１３を含む。グライダー２０の返し２２はグライダー２０をレール１２上に保持する。
【００５２】
図４では、グライダーの結合手段のみを示す。サムカラー５及び付属物は実質的に図１〜３に示す通りであってもよい。図４では、取付手段はネック１０にねじ止め又はピン留めされる。いくつかの実施形態では、演奏者の手の動きに柔軟性を付与するために半可撓性アライメント手段が好ましい。
【００５３】
図５を参照すると、アライメント手段は、２つのクリップ１４を含む２つの取付手段と、それらの間に延在する直線アライメント要素１５と、を含む。ここでは、取付手段はネック１０にクリップで取り付けられ、所定の位置にある際、フレット付き指板の縁端の真上に延在するように適合されている。直線アライメント要素１５は、図４の実施形態の１２のような成形断面又はロッドを含んでもよい。好ましくは、第１及び第２の取付手段１４はネック１０の好適な取り付け位置に合うような形状及び寸法にされており、一方が他方よりもわずかに大きく且つ上部ネック領域に合うような形状であり、他方の方が小さく且つ下部ネック領域に合うような形状である。第１及び第２の取付手段１４は特定の楽器又は楽器の種類に適合させてもよい。直線アライメント要素１５は、ネック１０上方における直線アライメント要素の高さを設定するためのスペーサを含んでもよい装置上の取付手段に、例えば、ボルト又はクリップによって取り付けてもよい。
【００５４】
取付手段１４、１１及び直線アライメント要素１２、１５は成形エンジニアリングプラスチックから形成されることが好ましい。いくつかの実施形態では、取付手段は、金属ばね構成要素と、曲げ及び強固なクリップオン力（ｃｌｉｐ−ｏｎ  ｆｏｒｃｅ）を実現するために取付手段の本体に関節式に連結された縁端部と、を含んでもよい。
【００５５】
図８は、カラーを直線アライメント要素に結合するための円形スタッド８及びボール３を示す。好ましくは、ボールの直径は約３〜９ｍｍである。より好ましくは、ボールの直径は約６ｍｍである。これら寸法の利点は、カップリングボールによって、使用中、演奏者の親指が楽器のネックから離れ過ぎないことである。
【００５６】
凹部１は深さ約１０ｍｍ、長さ約４００ｍｍであり、楽器のネック１０の裏側を通る。
【００５７】
図８は結合手段の下面を示し、人の親指のボール上の対応する湾曲に適応するためスタッド８は湾曲している。
【００５８】
図９は、サムカラー５に固定された図８のスタッド８及びボール３を示す。したがって、図８は、演奏者の親指上のグライダー２０を示す。
【００５９】
図１０は、カラー５がボール２５を受けるためのソケット２３含む、グライダーの別の実施形態を示す。ボール２５はレール１２に摺動可能に連結された保持要素２１の一部である。レール１２は直線アライメント要素を形成する。カラー５はそのソケット２３を保持要素２１にボール２５を介して取り付けるとグライダー２３を形成する。
【００６０】
有利には、ボール３、２５はソケット２３、２６から取り外し可能である。カラー５を着用した演奏者はボールをソケットから容易に取り外し、演奏位置から解放される。カラー５を着用した演奏者は弦楽器を演奏するためにボールをソケット内に容易に取り付ける。
【００６１】
図１１は、直線アライメント要素レール１２に摺動可能に結合された保持要素２１を示す。レールはネックの裏側に連結されている。
【００６２】
図１２は、楽器のネック１０に固定された直線アライメント要素レール１２の一実施形態を示す。この実施形態は図４及び図５により示されるものに類似する。
【００６３】
有利には、レール１２はネック内にスロットを通すことなく楽器のネック１０の裏側に固定可能である。演奏者はレール及び取付手段を含むアライメント手段を楽器のネックに取り付けることによって演奏補助具を自身で組み立てることができる。
【００６４】
図５に示される直線アライメント要素レール１５の利点はレールの円形断面である。保持要素２１はレール１５の周囲を回転することができる。親指がカラー５を介してレール１５に結合されている演奏者にはこの回転自由度が演奏中の快適性を提供することが分かる。
【００６５】
保持要素が、レールに沿って摺動できてもレールから外れることのないようレールに結合されるように保持要素２１は返し２２を含む。
【００６６】
図１３は、ネック１０の裏側に固定された直線アライメント要素レール１２の別の実施形態を示す。ネックの裏側はレール１２の取り付けを簡略化するため平面にて形成されている。
【００６７】
直線アライメント要素１２はねじ止めされるか、接着されるか、クリップによって取り付けられるかである。
【００６８】
図１４は、ネック１０の裏側に固定された直線アライメント要素レール１２の別の実施形態を示す。この実施形態は、アライメント手段が楽器のネック１０に凹部１を含むため、図１〜３及び図７によって示されるものに類似する。図１２の実施形態と図１〜３及び図７の実施形態との間の違いは、図１２が、ボール２５が保持要素２１に永久的に固定されている状態を示し、図１〜３及び図７では、ボール３はグライダーに永久的に固定されていることである。
【００６９】
凹部１をネック１０に形成する利点は、使用時、演奏者の親指が楽器のネック１０の裏側に接近することである。これにより、特に子供にとって楽器の演奏がより容易且つより快適になる。
【００７０】
図１５は、保持要素２１及びレール１２の更なる詳細を示す。
【００７１】
ライナーアライメント要素レール１２は、理想的には、金属もしくはプラスチック押出品であるか、折り返され、凹部１をシート成形したものである。返し２２は、凹部１への入口を部分的に閉じるため、シートの縁端部を折り返すことによって、又は押し出しダイによって形成される。
【００７２】
金属の利点は、金属が、保持要素２１が凹部１の壁に対して摺動する際に摩耗しないために長寿命を有することである。また、プラスチック又は木製壁を有する凹部の利点はコストの低下である。図１９は、直線アライメントレール１２を切った断面図を示す。図２０はレールの頂面図を示す。
【００７３】
図１４及び図１５は、直線アライメント要素が凹部１を有するレール１２であり、レールがネック１０の裏側とは別個の構成要素である実施形態を示す。図１〜３及び図７は、直線アライメント要素と、ネックの裏側に形成された凹部１が同一のものである実施形態装着を示す。図１〜３の実施形態の利点は１つの部品が排除されることである。図１４及び図１５の実施形態の利点は、摺動する保持要素２１の摩耗作用に耐える耐久性のあるレールである。
【００７４】
図１６は、図９に示されるカラーに固定されたボール３を受けるように適合されたソケット２３を含む保持要素２１の別の実施形態を示す。この実施形態は、レール１２に摺動可能に取り付けられた保持要素２１内にソケット２３があるという点で図４及び図５の実施形態に関連する。保持要素が摺動する際、返し２２が保持要素をレール１２の凹部１内に保持する。ソケット２６は、図７及び図９に示すようにサムカラーに連結されたサムグリップコネクタボール３の球根形状に一致する内部形状を有する。ボール３はソケット２６内に便利にパチンとはまり、且つソケット２６からパチンと外れる。
【００７５】
図１７は、図１５の保持要素２１又は図１６の保持要素２１のいずれかの頂面図を示す。有利には、保持要素２１の外周部２８は円形である。円形外周部２８により、保持要素２１が直線アライメント要素の凹部１に沿って容易に摺動することが可能になる。外周部が正方形又は矩形などの平坦側面である場合、保持要素は凹部内で曲がって回転し、その角が凹部の側面に当たって詰まる可能性がある。
【００７６】
図１８は、ネック１０及び直線アライメント要素レール１２の凹部１内の保持要素２１を切った断面図を示す。この断面図は、保持要素が図９に示されるカラー５上のボールに着脱可能に取り付けるためのソケット２６を含むこと以外は図１４に示されるものに類似する。
【００７７】
図２１は、保持要素２１の断面を示す。ソケット２６が保持要素２１内に埋設されていることから、これは好適な断面である。保持要素２１の上部縁端は図１９に示される直線アライメントレール１２の返し２２よりも下に留まる。したがって、レールがネックの凹部１内にある際、保持要素の上部縁端は楽器のネック１０の裏側より上に突出しない。対照的に、図１６及び図１８に示されるソケットは凹部１から及び楽器のネックより上に突出する。図２１に示される保持要素２１の利点は、カラーとネック１０の裏側との間の最短距離が約１〜６ｍｍ、好ましくは３ｍｍ未満であることである。この接近した距離により、自身の親指をカラー５に入れて楽器を演奏する者にとって、ネック１０の周りに指が届き、弦を自身の指で押さえることが簡単になる。
【００７８】
ボール３が凹部１の壁によって包み込まれるように、ソケット２６の内角は円弧の１８１度〜１８５度である。
【００７９】
図２２は、保持要素の断面が丸形であることを示す。この丸形外周部２８は、演奏者が演奏補助具により演奏している際に保持要素が凹部１内において詰まることを防止する。
【００８０】
図２３は、保持要素２１のスタッド８にＶｅｌｃｒｏ（登録商標）パッド２７によって取り付け可能及び取り外し可能なカラー５の側面図を示す。
【００８１】
図２４は、直線アライメント要素レール１２に摺動可能に取り付けられた保持要素２１上のパッドの頂面図を示す。
【００８２】
保持要素２２、したがってグライダー２０は直線アライメント要素１２内においてネックを上下に移動する。一般的なギターネックでは、直線アライメント要素は長さ約４００ｍｍである。この長さは他の弦楽器では異なり、通常、バイオリンではより短く、チェロではより長い。
【００８３】
図２５は、凹部１内に押し込まれて凹部１をカバーし、且つ演奏補助具が使用されていないときの弦楽器の外観を向上させるのに好適なプラスチック又は木材の切片２９を示す。
【００８４】
図６を参照すると、取付手段は、ギターネック１０周囲に巻かれたナイロン／Ｖｅｌｃｒｏ（登録商標）ストラップ１６を含む。ストラップ１６に取り付けられているのは、ストラップを所定の位置に保持する、好ましくは弾性エラストマー材料、例えばシリコーンゴムから形成される合成バンパー１７である。アライメント手段又はグライダー（図６に不図示）はストラップに取り付けられるか、ストラップを介してバンパー１７に取り付けられるため、ギターの邪魔にはならない。アライメント手段は前述の実施形態に実質的に記載されるようなものであってもよい。
【００８５】
図７を参照すると、アライメント手段は、前と同じく対応するスタッド３を有するグライダー２０を凹部１内に保持するように適合された凹部１を有する要素１８の形態の単一の取付手段を含み、ここで凹部は断面が実質的に円形のものとして示され、スタッド３はボール形状のヘッドを有する。取付要素１８は演奏支援具（ｐｌａｙｉｎｇ  ａｓｓｉｓｔａｎｃｅ）を必要とするネック１０の長さに及び、好ましくは、ネック１０の裏側の近傍に取り付けられるような形状であり、例えば取付手段上のＶｅｌｃｒｏ（登録商標）を用いてネック１０に固定してもよく、且つネック１０に接着してもよい。
【００８６】
種々の実施形態の特徴は様々に組み合わせて演奏補助具の変形形態を作製してもよい。
【符号の説明】
【００８７】
図中、参照符号を付した部品のインデックスを以下に記す。
カラー  ５
結合手段  ８
結合手段  −  ボールがグライダーに取り付けられている  ３
結合手段  −  ボールがグライダーの保持要素上にある  ２５
結合手段  −  張り出し部によりカラースタッドに固定されている  ２
結合手段  −  グライダーのカラー内にソケットがある  ２３
結合手段  −  グライダーの保持要素内にソケットがある  ２６
固定ねじ  ６
グライダー  ２０
直線アライメント要素  −  レール  １２
取付手段間の直線アライメント要素  １５
取付手段  １１
取付手段  −  バンパー  １７
取付手段  −  クリップ  １４
取付手段  −  単一  １８
取付手段  −  ストラップ  １６
ネック  １０
張り出し部  ３
凹部をカバーしている挿入物  ２９
グライダー内の凹部  １３
摺動保持要素を保持するための凹部  １
凹部のＴ字形状  ４
保持要素  ２１
保持要素外周部  ２８
返し  ２２
ねじ固定点  ９
スペーサディスク  ７
Ｖｅｌｃｒｏ（登録商標）パッド  ２７
【図１】
2016502135.tif 000002
【図２】
2016502135.tif 000003
【図３】
2016502135.tif 000004
【図４】
2016502135.tif 000005
【図５】
2016502135.tif 000006
【図６】
2016502135.tif 000007
【図７】
2016502135.tif 000008
【図８】
2016502135.tif 000009
【図９】
2016502135.tif 000010
【図１０】
2016502135.tif 000011
【図１１】
2016502135.tif 000012
【図１２−１３】
2016502135.tif 000013
【図１４】
2016502135.tif 000014
【図１５】
2016502135.tif 000015
【図１６】
2016502135.tif 000016
【図１７】
2016502135.tif 000017
【図１８】
2016502135.tif 000018
【図１９】
2016502135.tif 000019
【図２０】
2016502135.tif 000020
【図２１】
2016502135.tif 000021
【図２２】
2016502135.tif 000022
【図２３】
2016502135.tif 000023
【図２４】
2016502135.tif 000024
【図２５】
2016502135.tif 000025
【国際調査報告】
2016502135.tif 000026
2016502135.tif 000027